Podtech/llm-jp-corpus-v4-ja_patent huggingface dataset:
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
アイウエアであって、
フレームと、
一対のノーズパッドと、
前記一対のノーズパッドのそれぞれの表面に設けられ、眼電位を検出可能な第１の電極及び第２の電極と、
前記フレームのブリッジの表面に設けられ、眼電位を検出可能な第３の電極と、
前記第３の電極を基準とした前記第１の電極の電位である右眼の眼電位Ｖ１および前記第３の電極を基準とした前記第２の電極の電位である左眼の眼電位Ｖ２を検出し、（ｉ）Ｖ１＋Ｖ２が負であり、Ｖ１−Ｖ２が略ゼロの場合に当該アイウエアが装着されたユーザの視線が上に向けられたと判断し、（ｉｉ）Ｖ１＋Ｖ２が正であり、Ｖ１−Ｖ２が略ゼロの場合に、ユーザの視線が下に向けられたと判断し、（ｉｉｉ）Ｖ１＋Ｖ２が略ゼロであり、Ｖ１−Ｖ２が負の場合に、ユーザの視線が右に向けられたと判断し、（ｉｖ）Ｖ１＋Ｖ２が略ゼロであり、Ｖ１−Ｖ２が正の場合に、ユーザの視線が左に向けられたと判断するユニットと
を備える、
アイウエア。
【請求項２】
前記第１の電極は、前記一対のノーズパッドの一方の中心よりも下側に設けられ、前記第２の電極は、前記一対のノーズパッドの他方の中心よりも下側に設けられている、請求項１に記載のアイウエア。
【請求項３】
前記第１の電極及び前記第２の電極のそれぞれに電気的に接続され、前記フレームに埋設された第１の電線及び第２の電線をさらに備え、
前記一対のノーズパッドは、前記一対のノーズパッドの下側に延伸する延伸部を有し、
前記第１の電極及び前記第２の電極は、前記延伸部に設けられる、請求項１記載のアイウエア。
【請求項４】
前記第３の電極は、前記ブリッジの中心よりも上側に設けられる、請求項１に記載のアイウエア。
【請求項５】
前記ブリッジは、上側に延伸する延伸部を備え、前記第３の電極は前記延伸部に設けられる、請求項４に記載のアイウエア。
【請求項６】
前記フレームは、リムを有し、
前記ブリッジは、前記リムの上端に配置される、請求項１から５のいずれか一項に記載のアイウエア。
【請求項７】
前記第１の電極、前記第２の電極及び前記第３の電極に電気的にそれぞれ接続され、前記フレームに埋設された第１の電線、第２の電線及び第３の電線と、
をさらに備え、
前記第１の電線は前記フレームの右側に埋設されており、
前記第２の電線は前記フレームの左側に埋設されており、
前記第３の電線は前記フレームの両側に埋設されている、請求項１又は２に記載のアイウエア。
【請求項８】
前記フレームは、右側モダン及び左側モダンを有し、
当該アイウエアは、
前記第１の電極、前記第２の電極及び前記第３の電極に電気的にそれぞれ接続され、前記フレームに埋設された第１の電線、第２の電線及び第３の電線と、
前記右側モダン又は前記左側モダンの表面に設けられた接地電極と
をさらに備え、
前記第１の電線は前記フレームの右側に埋設されており、
前記第２の電線は前記フレームの左側に埋設されており、
前記第３の電線は、前記フレームの、前記右側モダン及び前記左側モダンのうち前記接地電極が設けられていない側に埋設されている、請求項１又は２に記載のアイウエア。
【請求項９】
前記第１の電極、前記第２の電極及び前記第３の電極に電気的にそれぞれ接続され、前記フレームに埋設された第１の電線、第２の電線及び第３の電線と、
をさらに備え、
前記第１の電線は前記フレームの右側に埋設されており、
前記第２の電線は前記フレームの左側に埋設されており、
前記フレームは、導電性物質からなる右側丁番及び左側丁番を有し、
前記右側丁番は、第１の丁番と、前記第１の丁番の下側に配置され、前記第１の丁番と離間した第２の丁番とを含み、
前記左側丁番は、第３の丁番と、前記第３の丁番の下側に配置され、前記第３の丁番と離間した第４の丁番とを含み、
前記第１の丁番及び前記第３の丁番の少なくとも一方は、前記第３の電線と接触しており、
前記第２の丁番は、前記第１の電線と接触しており、
前記第４の丁番は、前記第２の電線と接触している、請求項１又は２に記載のアイウエア。
【請求項１０】
前記延伸部と前記ブリッジとの間に配置された前記延伸部を上下に可動させる可動部
をさらに備える、請求項５に記載のアイウエア。
【請求項１１】
フレームと、
一対のノーズパッドと、
前記一対のノーズパッドのそれぞれの表面に設けられ、眼電位を検出可能な第１の電極及び第２の電極と、
前記フレームのブリッジの表面に設けられ、眼電位を検出可能な第３の電極と、
前記第３の電極を基準とした前記第１の電極の電位である右眼の眼電位Ｖ１および前記第３の電極を基準とした前記第２の電極の電位である左眼の眼電位Ｖ２を検出し、前記右眼の眼電位Ｖ１と前記左眼の眼電位Ｖ２とを加減算する処理部と、
を有するアイウエア、および、
（ｉ）Ｖ１＋Ｖ２が負であり、Ｖ１−Ｖ２が略ゼロの場合に当該アイウエアが装着されたユーザの視線が上に向けられたと判断し、（ｉｉ）Ｖ１＋Ｖ２が正であり、Ｖ１−Ｖ２が略ゼロの場合に、ユーザの視線が下に向けられたと判断し、（ｉｉｉ）Ｖ１＋Ｖ２が略ゼロであり、Ｖ１−Ｖ２が負の場合に、ユーザの視線が右に向けられたと判断し、（ｉｖ）Ｖ１＋Ｖ２が略ゼロであり、Ｖ１−Ｖ２が正の場合に、ユーザの視線が左に向けられたと判断する装置
を備える、システム。
【請求項１２】
フレームと、
一対のノーズパッドと、
前記一対のノーズパッドのそれぞれの表面に設けられ、眼電位を検出可能な第１の電極及び第２の電極と、
前記フレームのブリッジの表面に設けられ、眼電位を検出可能な第３の電極と、
を有するアイウエア、および、
前記第３の電極を基準とした前記第１の電極の電位である右眼の眼電位Ｖ１および前記第３の電極を基準とした前記第２の電極の電位である左眼の眼電位Ｖ２を検出し、（ｉ）Ｖ１＋Ｖ２が負であり、Ｖ１−Ｖ２が略ゼロの場合に当該アイウエアが装着されたユーザの視線が上に向けられたと判断し、（ｉｉ）Ｖ１＋Ｖ２が正であり、Ｖ１−Ｖ２が略ゼロの場合に、ユーザの視線が下に向けられたと判断し、（ｉｉｉ）Ｖ１＋Ｖ２が略ゼロであり、Ｖ１−Ｖ２が負の場合に、ユーザの視線が右に向けられたと判断し、（ｉｖ）Ｖ１＋Ｖ２が略ゼロであり、Ｖ１−Ｖ２が正の場合に、ユーザの視線が左に向けられたと判断する装置と
を備える、システム。
【手続補正書】
【提出日】平成26年6月27日(2014.6.27)
【手続補正１】
【補正対象書類名】特許請求の範囲
【補正対象項目名】請求項１
【補正方法】変更
【補正の内容】
【請求項１】
大当りか否かの大当り抽選の当選確率が低確率状態と高確率状態のうち何れの当選確率であるか否かを特定可能な抽選情報が設定される設定保持手段と、
前記設定保持手段に前記抽選情報を設定する抽選情報設定手段と、
図柄変動ゲームを実行させるための変動開始処理において、前記設定保持手段に設定されている抽選情報から特定可能な当選確率にて大当り抽選を行う大当り抽選手段と、
前記変動開始処理において、前記大当り抽選の当選確率が高確率状態である場合に当該高確率状態を継続させる確率継続、及び前記大当り抽選の当選確率が高確率状態である場合に当該高確率状態から低確率状態へと変更する確率変更のうち何れか一方を抽選で決定する確率変更抽選手段と、
大当り遊技の終了後に前記当選確率を前記高確率状態に制御する第１の制御情報と、前記大当り遊技の終了後に前記図柄変動ゲームの始動条件を付与する始動口へ遊技球が入球する確率を通常よりも高確率とする入球率向上状態に制御する第２の制御情報と、を記憶する制御情報記憶手段と、
前記第２の制御情報にしたがって前記入球率向上状態とする制御を行う入球率制御手段と、を備え、
前記高確率状態は、前記抽選情報設定手段が前記第１の制御情報にしたがって前記高確率状態であることを示す抽選情報を前記設定保持手段に設定することによって生起される一方、前記確率変更が決定された場合に前記抽選情報設定手段が前記設定保持手段に設定されている前記抽選情報を前記高確率状態であることを示す抽選情報から前記低確率状態であることを示す抽選情報に変更して設定することによって終了し、
前記第２の制御情報には、前記入球率向上状態の終了条件を特別終了条件と特殊終了条件とする特別制御情報を含み、
前記特別終了条件は、前記大当り遊技の終了後の図柄変動ゲームの実行回数が予め決められた特定回数に達した時点において前記大当り抽選の当選確率が低確率状態であることによって成立し、
前記特殊終了条件は、前記確率変更抽選の抽選で前記確率変更が決定されたことによって成立し、
前記入球率制御手段は、
前記大当り遊技の終了後に前記入球率向上状態とし、当該入球率向上状態を前記特別制御情報にしたがって制御する場合、前記特定回数に達した時点で前記特別終了条件が成立するときには前記入球率向上状態を終了させる一方で、前記特定回数に達した時点で前記特別終了条件が成立しないときには前記終了条件を前記特殊終了条件とし、当該特殊終了条件が成立するまで前記入球率向上状態を継続させることを特徴とする遊技機。
【手続補正２】
【補正対象書類名】明細書
【補正対象項目名】０００６
【補正方法】変更
【補正の内容】
【０００６】
上記問題点を解決するために、請求項１に記載の発明は、大当りか否かの大当り抽選の当選確率が低確率状態と高確率状態のうち何れの当選確率であるか否かを特定可能な抽選情報が設定される設定保持手段と、前記設定保持手段に前記抽選情報を設定する抽選情報設定手段と、図柄変動ゲームを実行させるための変動開始処理において、前記設定保持手段に設定されている抽選情報から特定可能な当選確率にて大当り抽選を行う大当り抽選手段と、前記変動開始処理において、前記大当り抽選の当選確率が高確率状態である場合に当該高確率状態を継続させる確率継続、及び前記大当り抽選の当選確率が高確率状態である場合に当該高確率状態から低確率状態へと変更する確率変更のうち何れか一方を抽選で決定する確率変更抽選手段と、大当り遊技の終了後に前記当選確率を前記高確率状態に制御する第１の制御情報と、前記大当り遊技の終了後に前記図柄変動ゲームの始動条件を付与する始動口へ遊技球が入球する確率を通常よりも高確率とする入球率向上状態に制御する第２の制御情報と、を記憶する制御情報記憶手段と、前記第２の制御情報にしたがって前記入球率向上状態とする制御を行う入球率制御手段と、を備え、前記高確率状態は、前記抽選情報設定手段が前記第１の制御情報にしたがって前記高確率状態であることを示す抽選情報を前記設定保持手段に設定することによって生起される一方、前記確率変更が決定された場合に前記抽選情報設定手段が前記設定保持手段に設定されている前記抽選情報を前記高確率状態であることを示す抽選情報から前記低確率状態であることを示す抽選情報に変更して設定することによって終了し、前記第２の制御情報には、前記入球率向上状態の終了条件を特別終了条件と特殊終了条件とする特別制御情報を含み、前記特別終了条件は、前記大当り遊技の終了後の図柄変動ゲームの実行回数が予め決められた特定回数に達した時点において前記大当り抽選の当選確率が低確率状態であることによって成立し、前記特殊終了条件は、前記確率変更抽選の抽選で前記確率変更が決定されたことによって成立し、前記入球率制御手段は、前記大当り遊技の終了後に前記入球率向上状態とし、当該入球率向上状態を前記特別制御情報にしたがって制御する場合、前記特定回数に達した時点で前記特別終了条件が成立するときには前記入球率向上状態を終了させる一方で、前記特定回数に達した時点で前記特別終了条件が成立しないときには前記終了条件を前記特殊終了条件とし、当該特殊終了条件が成立するまで前記入球率向上状態を継続させることを要旨とする。
【手続補正書】
【提出日】平成26年5月29日(2014.5.29)
【手続補正１】
【補正対象書類名】特許請求の範囲
【補正対象項目名】請求項１
【補正方法】変更
【補正の内容】
【請求項１】
遊技盤に配設された第１始動口並びに第２始動口と、
前記第２始動口へ遊技球が入球容易な開状態、及び前記第２始動口へ遊技球が入球困難な閉状態に動作可能な開閉装置と、
前記開閉装置の動作態様を特定可能な動作情報として、前記開閉装置の動作態様を通常動作態様とすることを特定可能な通常動作情報、及び前記通常動作態様と比較して前記第２始動口への遊技球の入球率が向上される特別動作態様とすることを特定可能な特別動作情報を記憶可能な動作情報記憶手段と、
前記動作情報記憶手段に通常動作情報が記憶されている場合には、前記開閉装置を前記通常動作態様に制御し、前記第２始動口への入球率が向上されていない非入球率向上状態に制御する一方で、前記動作情報記憶手段に特別動作情報が記憶されている場合には、前記開閉装置を前記特別動作態様に制御し、前記第２始動口への入球率が前記非入球率向上状態よりも向上される入球率向上状態に制御する開閉制御手段と、
乱数を生成する乱数生成手段と、
前記第１始動口並びに前記第２始動口に入球した遊技球を検知する入球検知手段と、
前記入球検知手段により遊技球が入球検知されたことを契機として、前記乱数生成手段が生成する乱数の値を取得するとともに、当該取得した乱数の値を乱数記憶手段に記憶させる乱数取得手段と、
大当りか否かを認識可能な表示結果を導出する図柄変動ゲームを開始させるときに、前記乱数記憶手段に記憶されている乱数の値のうち大当り判定用乱数の値を用いて、大当りか否かの開始期大当り判定を実行する開始期大当り判定手段と、
前記動作情報記憶手段に前記特別動作情報が記憶されている状態において、前記図柄変動ゲームを開始させるときに、当該図柄変動ゲームにおける開始期大当り判定に用いられる大当り判定用乱数の値と同じ入球検知を契機として取得された乱数の値のうち移行判定用乱数の値を用いて、遊技機の遊技状態を前記入球率向上状態から前記非入球率向上状態へ移行させる場合、前記動作情報記憶手段に前記通常動作情報を記憶させる動作態様移行制御を実行する動作情報制御手段と、
前記図柄変動ゲームを開始させるときよりも前に、当該図柄変動ゲームの開始に伴って前記動作情報制御手段が前記動作態様移行制御を実行するか否かを、その図柄変動ゲームにおける開始期大当り判定に用いられる大当り判定用乱数の値と同じ入球検知を契機として取得された移行判定用乱数の値をもとに判定する開始前移行判定を実行可能な開始前移行判定手段と、
予め定めた判定条件の成立を契機として開始前移行判定の判定結果を参照し、前記乱数記憶手段に乱数の値が記憶されていることにより実行が保留されている図柄変動ゲームのうち、前記開始前移行判定の判定結果が否定となった図柄変動ゲームが、最も早く記憶された乱数の値に基づく図柄変動ゲームから前記判定条件の成立後に順に連続して実行される回数を計数する回数計数手段と、
前記回数計数手段の計数結果に基づき演出実行手段を制御し、前記回数計数手段が計数した図柄変動ゲームの回数を上限として、遊技機の遊技状態が入球率向上状態から非入球率向上状態へ移行されることなく実行される図柄変動ゲームの回数を報知する回数報知演出を実行させる演出実行制御手段と、を備えたことを特徴とする遊技機。
【手続補正２】
【補正対象書類名】明細書
【補正対象項目名】０００８
【補正方法】変更
【補正の内容】
【０００８】
上記課題を解決するために、請求項１に記載の発明は、遊技盤に配設された第１始動口並びに第２始動口と、前記第２始動口へ遊技球が入球容易な開状態、及び前記第２始動口へ遊技球が入球困難な閉状態に動作可能な開閉装置と、前記開閉装置の動作態様を特定可能な動作情報として、前記開閉装置の動作態様を通常動作態様とすることを特定可能な通常動作情報、及び前記通常動作態様と比較して前記第２始動口への遊技球の入球率が向上される特別動作態様とすることを特定可能な特別動作情報を記憶可能な動作情報記憶手段と、前記動作情報記憶手段に通常動作情報が記憶されている場合には、前記開閉装置を前記通常動作態様に制御し、前記第２始動口への入球率が向上されていない非入球率向上状態に制御する一方で、前記動作情報記憶手段に特別動作情報が記憶されている場合には、前記開閉装置を前記特別動作態様に制御し、前記第２始動口への入球率が前記非入球率向上状態よりも向上される入球率向上状態に制御する開閉制御手段と、乱数を生成する乱数生成手段と、前記第１始動口並びに前記第２始動口に入球した遊技球を検知する入球検知手段と、前記入球検知手段により遊技球が入球検知されたことを契機として、前記乱数生成手段が生成する乱数の値を取得するとともに、当該取得した乱数の値を乱数記憶手段に記憶させる乱数取得手段と、大当りか否かを認識可能な表示結果を導出する図柄変動ゲームを開始させるときに、前記乱数記憶手段に記憶されている乱数の値のうち大当り判定用乱数の値を用いて、大当りか否かの開始期大当り判定を実行する開始期大当り判定手段と、前記動作情報記憶手段に前記特別動作情報が記憶されている状態において、前記図柄変動ゲームを開始させるときに、当該図柄変動ゲームにおける開始期大当り判定に用いられる大当り判定用乱数の値と同じ入球検知を契機として取得された乱数の値のうち移行判定用乱数の値を用いて、遊技機の遊技状態を前記入球率向上状態から前記非入球率向上状態へ移行させる場合、前記動作情報記憶手段に前記通常動作情報を記憶させる動作態様移行制御を実行する動作情報制御手段と、前記図柄変動ゲームを開始させるときよりも前に、当該図柄変動ゲームの開始に伴って前記動作情報制御手段が前記動作態様移行制御を実行するか否かを、その図柄変動ゲームにおける開始期大当り判定に用いられる大当り判定用乱数の値と同じ入球検知を契機として取得された移行判定用乱数の値をもとに判定する開始前移行判定を実行可能な開始前移行判定手段と、予め定めた判定条件の成立を契機として開始前移行判定の判定結果を参照し、前記乱数記憶手段に乱数の値が記憶されていることにより実行が保留されている図柄変動ゲームのうち、前記開始前移行判定の判定結果が否定となった図柄変動ゲームが、最も早く記憶された乱数の値に基づく図柄変動ゲームから前記判定条件の成立後に順に連続して実行される回数を計数する回数計数手段と、前記回数計数手段の計数結果に基づき演出実行手段を制御し、前記回数計数手段が計数した図柄変動ゲームの回数を上限として、遊技機の遊技状態が入球率向上状態から非入球率向上状態へ移行されることなく実行される図柄変動ゲームの回数を報知する回数報知演出を実行させる演出実行制御手段と、を備えたことを要旨とする。
【手続補正書】
【提出日】平成25年10月16日(2013.10.16)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、
前記可変表示部における識別情報の可変表示の表示結果が予め定められた特定表示結果となったときに、遊技者にとって有利な特定遊技状態に制御する遊技機であって、
前記特定表示結果とするか否かを、前記識別情報の表示結果が導出表示される以前に決定する事前決定手段と、
前記事前決定手段の決定結果に基づいて前記識別情報の可変表示の演出態様を決定する演出態様決定手段と、
前記演出態様決定手段により決定された演出態様に従って前記識別情報の可変表示に関する演出を制御する演出制御手段と、
遊技者にとって有利な所定の特典を付与するか否かを決定する特典付与決定手段と、
前記特定遊技状態に制御されているときに、前記演出態様決定手段により決定された演出態様に応じて前記識別情報の可変表示に関する演出を再現して実行する再現演出実行手段と
を備え、
前記再現演出実行手段は、
前記特典付与決定手段により所定の特典を付与することが決定されているときに、前記演出態様決定手段によって決定された演出態様とは少なくとも一部が異なる演出態様に従って前記演出を再現して実行することを特徴とする遊技機。
【手続補正２】
【補正対象書類名】明細書
【補正対象項目名】０００７
【補正方法】変更
【補正の内容】
【０００７】
上記目的を達成するため、本願に係る遊技機は、
各々を識別可能な複数種類の識別情報（例えば飾り図柄など）を可変表示する可変表示部（例えば画像表示装置５など）を備え、前記可変表示部における識別情報の可変表示の表示結果が予め定められた特定表示結果（例えば大当り組合せなど）となったときに、遊技者にとって有利な特定遊技状態（例えば大当り遊技状態など）に制御する遊技機（例えばパチンコ遊技機１など）であって、前記特定表示結果とするか否かを、前記識別情報の表示結果が導出表示される以前に決定する事前決定手段（例えばステップＳ２４３の処理を実行するＣＰＵ１０３など）と、前記事前決定手段の決定結果に基づいて前記識別情報の可変表示の演出態様（例えばＥＰ１、ＥＰ２、ＥＰ３、ＥＰ４、ＥＰ５）を決定する演出態様決定手段（例えばステップＳ５５５の処理を実行するＣＰＵ１２０など）と、前記演出態様決定手段により決定された演出態様に従って前記識別情報の可変表示に関する演出を制御する演出制御手段（例えばステップＳ５６５の処理を実行するＣＰＵ１２０など）と、遊技者にとって有利な所定の特典を付与するか否かを決定する特典付与決定手段（例えばステップＳ２４７の処理を実行するＣＰＵ１０３など）と、前記特定遊技状態に制御されているときに、前記演出態様決定手段により決定された演出態様に応じて前記識別情報の可変表示に関する演出を再現して実行する再現演出実行手段（例えばステップＳ６１８の処理を実行するＣＰＵ１２０など）とを備え、前記再現演出実行手段は、前記特典付与決定手段により所定の特典を付与することが決定されているときに、前記演出態様決定手段によって決定された演出態様とは少なくとも一部が異なる演出態様（例えばＥＰ１に対するＥＰ１−２〜ＥＰ１−６、ＥＰ２に対するＥＰ２−２〜ＥＰ２−６、ＥＰ３に対するＥＰ３−２〜ＥＰ３−６、ＥＰ４に対するＥＰ４−２〜ＥＰ４−６、ＥＰ５に対するＥＰ５−２〜ＥＰ５−６など）に従って前記演出を再現して実行する、ことを特徴とする。
【手続補正３】
【補正対象書類名】明細書
【補正対象項目名】０００８
【補正方法】変更
【補正の内容】
【０００８】
上記遊技機によれば、前記再現演出実行手段は、所定の場合（前記特典付与決定手段により所定の特典を付与することが決定されている場合）に、特定遊技状態の制御中に、前記演出態様決定手段によって決定された演出態様とは少なくとも一部が異なる演出態様に従って前記演出を再現して実行することができる。つまり、前記再現演出実行手段は、大当りになるときの演出とは少なくとも一部が異なる演出をラウンド消化中に再現して実行することができる。これにより、識別情報の表示結果をじっくり注目していた遊技者も、再現表示に注目でき、遊技の興趣が向上する。
【手続補正書】
【提出日】平成26年10月28日(2014.10.28)
【手続補正１】
【補正対象書類名】明細書
【補正対象項目名】０００５
【補正方法】変更
【補正の内容】
【０００５】
しかしながら、従来の遊技機では所定の乱数値の狙い撃ちが可能となって、公正さに欠けるという課題がある。
【手続補正２】
【補正対象書類名】明細書
【補正対象項目名】０００６
【補正方法】変更
【補正の内容】
【０００６】
本発明は、所定の乱数値の狙い撃ちを防止し、遊技の公正さを確保することを目的とする。
【手続補正３】
【補正対象書類名】明細書
【補正対象項目名】０００７
【補正方法】変更
【補正の内容】
【０００７】
上記課題を解決するために、請求項１に記載の発明は、
始動条件の成立に基づき、複数の識別情報を変動表示する変動表示ゲームを表示可能な変動表示手段を備え、前記変動表示ゲームの結果が特別結果となる場合に、遊技者に有利な特別遊技状態を発生可能な遊技機において、
遊技制御を行う遊技制御手段と、
前記遊技制御手段の指令に基づいて遊技の進行に関連する演出を制御する演出制御手段と、
前記遊技制御に利用する乱数を所定の範囲内で生成する乱数生成手段と、
遊技領域に設けられ、遊技球の入賞を第１始動条件とする第１始動入賞領域と、
前記遊技領域に設けられ、遊技球の入賞を第２始動条件とする第２始動入賞領域と、
前記遊技領域に設けられ、遊技球が入球可能な普図始動入球領域と、
前記普図始動入球領域への遊技球の入球に基づき、普通図柄を変動表示する普図変動ゲームを表示可能な普図変動表示手段と、
前記普図変動ゲームの結果が特定結果となるか否かの抽選を行い、該抽選による前記普図変動ゲームの結果を所定の変動時間が経過したことに対応して停止表示する普図制御手段と、
前記遊技領域へ遊技球を発射する発射手段と、
当該発射手段により発射される遊技球の発射勢を調整する発射調整手段と、
を備え、
前記普図制御手段は、
前記特別遊技状態の終了後、所定の条件を満たしている場合には、所定の終了条件が成立するまで遊技者に有利な抽選確率である普図高確状態で抽選する一方で、所定の条件を満たしていない場合には、普図低確状態で抽選し、
前記普図変動ゲームの結果が特定結果となった場合に、前記第２始動入賞領域を遊技球の入賞し易い状態にする特定状態を発生させ、
前記遊技制御手段は、
前記乱数生成手段が生成する乱数を任意のタイミングで取得し、取得した乱数を遊技制御に利用し、
前記第２始動入賞領域への入賞に対応する変動表示である第２変動表示ゲームを、前記第１始動入賞領域への入賞に対応する変動表示である第１変動表示ゲームに優先して実行し、
前記発射手段は、
予め定められた発振周波数の発振信号を発生させる発振手段と、
前記発振信号と前記発射調整手段からの信号とに基づいて発射を制御する発射制御手段と、
所定のパルス数の駆動信号が印加されることで単位動作を行い、当該発射制御手段により遊技球を発射するための球発射杵の駆動を行う駆動源と、
予め定められた分周比により、前記発振周波数の調整を行う分周回路と、を備え、
前記発振周波数と前記パルス数及び前記分周比に対応して決定される前記発射手段による発射周期と、前記所定の範囲に属するすべての乱数が生成される周期との同期間隔が、前記第２変動表示ゲームの最大変動時間よりも長くなるように設定されていることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明によれば、所定の乱数値の狙い撃ちを防止し、遊技の公正さを確保することができるという効果がある。
【手続補正９】
【補正対象書類名】特許請求の範囲
【補正対象項目名】全文
【補正方法】変更
【補正の内容】
【特許請求の範囲】
【請求項１】
始動条件の成立に基づき、複数の識別情報を変動表示する変動表示ゲームを表示可能な変動表示手段を備え、前記変動表示ゲームの結果が特別結果となる場合に、遊技者に有利な特別遊技状態を発生可能な遊技機において、
遊技制御を行う遊技制御手段と、
前記遊技制御手段の指令に基づいて遊技の進行に関連する演出を制御する演出制御手段と、
前記遊技制御に利用する乱数を所定の範囲内で生成する乱数生成手段と、
遊技領域に設けられ、遊技球の入賞を第１始動条件とする第１始動入賞領域と、
前記遊技領域に設けられ、遊技球の入賞を第２始動条件とする第２始動入賞領域と、
前記遊技領域に設けられ、遊技球が入球可能な普図始動入球領域と、
前記普図始動入球領域への遊技球の入球に基づき、普通図柄を変動表示する普図変動ゲームを表示可能な普図変動表示手段と、
前記普図変動ゲームの結果が特定結果となるか否かの抽選を行い、該抽選による前記普図変動ゲームの結果を所定の変動時間が経過したことに対応して停止表示する普図制御手段と、
前記遊技領域へ遊技球を発射する発射手段と、
当該発射手段により発射される遊技球の発射勢を調整する発射調整手段と、
を備え、
前記普図制御手段は、
前記特別遊技状態の終了後、所定の条件を満たしている場合には、所定の終了条件が成立するまで遊技者に有利な抽選確率である普図高確状態で抽選する一方で、所定の条件を満たしていない場合には、普図低確状態で抽選し、
前記普図変動ゲームの結果が特定結果となった場合に、前記第２始動入賞領域を遊技球の入賞し易い状態にする特定状態を発生させ、
前記遊技制御手段は、
前記乱数生成手段が生成する乱数を任意のタイミングで取得し、取得した乱数を遊技制御に利用し、
前記第２始動入賞領域への入賞に対応する変動表示である第２変動表示ゲームを、前記第１始動入賞領域への入賞に対応する変動表示である第１変動表示ゲームに優先して実行し、
前記発射手段は、
予め定められた発振周波数の発振信号を発生させる発振手段と、
前記発振信号と前記発射調整手段からの信号とに基づいて発射を制御する発射制御手段と、
所定のパルス数の駆動信号が印加されることで単位動作を行い、当該発射制御手段により遊技球を発射するための球発射杵の駆動を行う駆動源と、
予め定められた分周比により、前記発振周波数の調整を行う分周回路と、を備え、
前記発振周波数と前記パルス数及び前記分周比に対応して決定される前記発射手段による発射周期と、前記所定の範囲に属するすべての乱数が生成される周期との同期間隔が、前記第２変動表示ゲームの最大変動時間よりも長くなるように設定されていることを特徴とする遊技機。
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
ユーザの頭部の動きと連動して移動する第１光源と、ユーザが観察対象とする映像提示部に対して相対位置が不変な第２光源とのふたつの光源から、ユーザのいずれか一方の眼球に対して照射された光のそれぞれの反射光を含む領域を、ユーザの頭部の動きと連動して移動する撮像素子が撮像した映像を取得する映像取得部と、
前記映像取得部が取得した映像中における前記第１光源の反射光に対する前記第２光源の反射光の相対位置をもとに、ユーザの頭部の動きを推定する頭部移動推定部とを含むことを特徴とする映像解析装置。
【請求項２】
前記撮像素子が撮像する映像中における前記第１光源の反射光の絶対位置をもとに、前記撮像素子が撮像する眼球の動きを推定する眼球移動推定部と、
推定したユーザの頭部の動きと眼球の動きとをもとに、ユーザの注視位置を取得する注視位置取得部とをさらに含むことを特徴とする請求項１に記載の映像解析装置。
【請求項３】
前記眼球移動推定部は、
前記撮像素子が撮像する映像中における前記第１光源の反射光の位置座標を取得する第１位置座標取得部と、
前記第１位置座標取得部が取得した位置座標に所定の第１変換行列を積算してユーザが観察対象とする映像提示部の表示領域における位置座標に変換する第１変換部とを含み、
前記第１変換部が用いる第１変換行列は、ユーザが頭部の動きを固定して眼球を動かすことによって映像提示部の表示領域中の注視位置を移動させたときの、前記第１光源の反射光の位置座標と当該注視位置の表示領域における絶対位置座標とをもとに予め算出された行列であることを特徴とする請求項２に記載の映像解析装置。
【請求項４】
前記頭部移動推定部は、
前記撮像素子が撮像する映像中における前記第２光源の反射光の位置座標を取得する第２位置座標取得部と、
前記第１位置座標取得部が取得した位置座標を始点とし、前記第２位置座標取得部が取得した位置座標を終点とする位置ベクトルを取得する位置ベクトル取得部と、
前記位置ベクトル取得部が取得した位置ベクトルを、ユーザが観察対象とする映像提示部の表示領域における位置座標に変換する第２変換部とを含み、
前記第２変換部は、ユーザが眼球の動きを固定して頭部を動かすことによって映像提示部の表示領域中の注視位置を移動させたときの前記位置ベクトル取得部が取得した位置ベクトルと、当該注視位置の表示領域における絶対位置座標とをもとに予め算出された第２変換行列を用いて前記位置ベクトルを映像提示部の表示領域における位置座標に変換することを特徴とする請求項３に記載の映像解析装置。
【請求項５】
前記注視位置取得部は、前記第１変換部が変換した位置座標と前記第２変換部が変換した位置座標とを加算して、ユーザの注視位置を取得することを特徴とする請求項４に記載の映像解析装置。
【請求項６】
前記第２光源は、ユーザが観察対象とする映像提示部に取り付けられていることを特徴とする請求項１から５のいずれかに記載の映像解析装置。
【請求項７】
ユーザの頭部の動きと連動して移動する第１光源と、ユーザが観察対象とする映像提示部に対して相対位置が不変な第２光源とのふたつの光源から、ユーザのいずれか一方の眼球に対して照射された光のそれぞれの反射光を含む領域を、ユーザの頭部の動きと連動して移動する撮像素子が撮像した映像を取得し、当該映像中におけるふたつの反射光の相対位置をもとにユーザの頭部の動きを推定することをプロセッサに実行させることを特徴とする映像解析方法。
【請求項８】
ユーザの頭部の動きと連動して移動する第１光源とユーザが観察対象とする映像提示部に対して相対位置が不変な第２光源とのふたつの光源から、ユーザのいずれか一方の眼球に対して照射された光のそれぞれの反射光を含む領域を、ユーザの頭部の動きと連動して移動する撮像素子が撮像した映像を取得する機能と、
取得した映像中におけるふたつの反射光の相対位置を、ユーザの頭部の動きベクトルの推定値に変換する機能とをコンピュータに実現させることを特徴とするプログラム。
【請求項９】
ユーザのいずれか一方の眼球を撮像する撮像素子であって、ユーザの頭部の動きと連動して移動する頭部装着型撮像素子と、
前記撮像素子が撮像する眼球に光を照射する光源であって、前記撮像素子の動きと連動して移動する第１光源と、
ユーザが観察対象とする映像提示部と、
前記撮像素子が撮像する眼球に光を照射する光源であって、前記映像提示部に取り付けられた第２光源と、
前記撮像素子が撮像する映像中における前記第１光源の反射光に対する前記第２光源の反射光の相対位置をもとに、ユーザの頭部の動きを推定する頭部移動推定部と、
前記撮像素子が撮像する映像中における前記第１光源の反射光の絶対位置をもとに、前記撮像素子が撮像する眼球の動きを推定する眼球移動推定部と、
推定したユーザの頭部の動きと眼球の動きとをもとに、ユーザの注視位置を取得する注視位置取得部と、
前記注視位置取得部が取得した注視位置と対応する前記映像提示部の表示領域における位置に表示させるカーソル画像を生成するカーソル生成部とを含むことを特徴とする注視点表示システム。
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
センサアセンブリであって、
機器に結合され、第１の軸に対して配向され、前記第１の軸に関する前記機器の振動エネルギーを検出し、検出した該振動エネルギーを示す信号を伝送する、第１のトランスデューサと、
機器に結合され、前記第１の軸とは異なる第２の軸に対して配向され、前記第２の軸に関する前記機器の振動エネルギーを検出し、検出した前記第２の軸に沿った該振動エネルギーを示す信号を伝送する、第２のトランスデューサと、
前記第１のトランスデューサおよび前記第２のトランスデューサに結合され、制御モジュールであって、前記センサアセンブリが、前記機器によって前記センサアセンブリに発生した振動エネルギー量を計測する第１動作モードと、前記センサアセンブリが、前記センサアセンブリに発生したエネルギー量を貯蔵する第２動作モードとの間で、前記センサアセンブリを選択的に切り替えるように構成された制御モジュールと、
前記第１のトランスデューサおよび前記第２のトランスデューサからの電気エネルギーを受けとるために前記第１のトランスデューサおよび前記第２のトランスデューサに結合された電力貯蔵装置と、
を備え、
前記電力貯蔵装置のエネルギーレベルが所定のエネルギーレベルと略同一になったときに、前記制御モジュールが、前記センサアセンブリを前記第１動作モードから前記第２動作モードに切り替える、
センサアセンブリ。
【請求項２】
前記第１のトランスデューサは圧電材料および可動コイルセンサのうちのすくなくとも１つから成る、請求項１に記載のセンサアセンブリ。
【請求項３】
前記第１のトランスデューサが、前記センサアセンブリを軸方向に貫通する中心線に対して実質的に平行に発生した振動のエネルギーを少なくとも検出又は採収するように、前記トランスデューサが、前記中心線に対して実質的に平行に配向される、請求項１に記載のセンサアセンブリ。
【請求項４】
前記第２のトランスデューサは、前記中心線に対して実質的に横方向に発生した振動のエネルギーを検出および採収の少なくとも一方を行う、請求項３に記載のセンサアセンブリ。
【請求項５】
前記第１のトランスデューサに結合され、前記第１のトランスデューサから受信した信号の電圧レベルを補正、同期的な切替、および調節、ならびに該電圧レベルを直流電流に変換のうちの少なくとも１つを行うように構成された信号調整モジュールを更に備える、請求項１に記載のセンサアセンブリ。
【請求項６】
機器に結合され、第１の軸に対して配向され、前記第１の軸に関する前記機器の振動エネルギーを検出し、検出した該振動エネルギーを示す信号を伝送する、第１のトランスデューサと、
機器に結合され、前記第１の軸とは異なる第２の軸に対して配向され、前記第２の軸に関する前記機器の振動エネルギーを検出し、検出した前記第２の軸に沿った該振動エネルギーを示す信号を伝送する、第２のトランスデューサと、
有する少なくとも１つのセンサアセンブリと、
少なくとも１つのセンサアセンブリに結合された少なくとも１つのセンサノードと、
前記第１のトランスデューサおよび前記第２のトランスデューサに結合され、制御モジュールであって、前記センサアセンブリが、前記機器によって前記センサアセンブリに発生した振動エネルギー量を計測する第１動作モードと、前記センサアセンブリが、前記センサアセンブリに発生したエネルギー量を貯蔵する第２動作モードとの間で、前記センサアセンブリを選択的に切り替えるように構成された制御モジュールと、
前記第１のトランスデューサおよび前記第２のトランスデューサからの電気エネルギーを受けとるために前記第１のトランスデューサおよび前記第２のトランスデューサに結合された電力貯蔵装置と、
を備え、
前記電力貯蔵装置のエネルギーレベルが所定のエネルギーレベルと略同一になったときに、前記制御モジュールが、前記センサアセンブリを前記第１動作モードから前記第２動作モードに切り替える、
監視システム。
【請求項７】
前記少なくとも１つのセンサノードは、前記少なくとも１つのセンサアセンブリが前記第１モードで動作しているとき、前記第１のトランスデューサから信号を受信し、前記信号を遠隔システムに伝送するように構成された通信モジュールを備える、請求項６に記載の監視システム。
【請求項８】
前記電力貯蔵装置は、前記少なくとも１つのセンサアセンブリが前記第２モードにおいて動作しているとき、前記第１のトランスデューサから信号を受信するように構成されている、請求項６に記載の監視システム。
【請求項９】
前記第１のトランスデューサは、圧電材料および可動コイルセンサのうちの少なくとも１つから成る、請求項６に記載の監視システム。
【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
媒体上に画像を生成するよう構成された光受容体と、光受容体を清掃するよう構成された静電清掃ブラシとを含む印刷装置における方法であって、
静電清掃ブラシの電圧バイアスを第１の電圧バイアスに設定する工程と、
光受容体を用いて媒体上に画像を生成する工程と、
第１の電圧バイアスで動作する静電清掃ブラシを用いて光受容体を清掃する工程と、
印刷装置の動作状態を計測し、光受容体上の予想被膜堆積率を特定する工程と、
計測された動作状態に基づき、静電清掃ブラシに対する電圧バイアスを第２の電圧バイアスに調整する工程と、
を含み、
動作状態の計測工程は、印刷装置が、光受容体上のトナーの予想量を決定すべく紙詰まり復旧モードで動作しているかどうかを判定する工程を含む、方法。
【請求項２】
光受容体上の予想被膜堆積率を閾値と比較する工程をさらに含み、
調整工程が、光受容体上の予想被膜堆積率が閾値を上回る場合に、静電清掃ブラシに対する電圧バイアスを第２の電圧バイアスへ増大させる工程を含む、請求項１に記載の方法。
【請求項３】
第２のバイアスが、予想被膜堆積率の関数である、請求項１に記載の方法。
【請求項４】
印刷装置の被膜評価モード期間中に光受容体上に画像テストパターンを生成する工程をさらに含み、
動作状態の計測工程が、被膜評価モード期間中に画像センサを用いて光受容体上の画像テストパターンの不要な虚像成分を検出する工程を含み、
静電清掃ブラシに対する電圧バイアスの調整工程が、検出された不要な虚像成分に基づき静電清掃ブラシに対する電圧バイアスを第２の電圧バイアスに調整する工程を含む、請求項１に記載の方法。
【請求項５】
媒体上に画像を生成するように構成された光受容体と、
光受容体を清掃するように構成された静電清掃ブラシと、
第１の電圧バイアスで動作する静電清掃ブラシが光受容体を清掃できるよう、静電清掃ブラシの電圧バイアスを第１の電圧バイアスに設定するように構成された電源と、
装置の動作状態を計測して光受容体上の予想被膜堆積率を特定するように構成されるとともに、計測された動作状態に基づき静電清掃ブラシに対する電圧バイアスを第２の電圧バイアスに調整するように構成された静電清掃ブラシバイアス制御器と、
を有し、
静電清掃ブラシバイアス制御器は、印刷装置が、光受容体上のトナーの予想量を決定すべく紙詰まり復旧モードで動作しているかどうかを判定することで動作状態を計測する、
ことを特徴とする印刷装置。
【請求項６】
媒体上に画像を生成するよう構成された光受容体と、光受容体を清掃するよう構成された静電清掃ブラシとを含む印刷装置における方法であって、
静電清掃ブラシの電圧バイアスを第１の電圧バイアスに設定する工程と、
光受容体を用いて媒体上に画像を生成する工程と、
第１の電圧バイアスで動作する静電清掃ブラシを用いて光受容体を清掃する工程と、
印刷装置の動作状態を計測し、光受容体上の予想被膜堆積率を特定する工程と、
予想されるフィルム堆積率の関数であり、静電清掃ブラシから光受容体に対する摩耗率を調整する第２の電圧バイアスに、静電清掃ブラシに対する電圧バイアスを調整する工程と、
を含み、
動作状態の計測工程は、印刷装置が、光受容体上のトナーの予想量を決定すべく紙詰まり復旧モードで動作しているかどうかを判定する工程を含む、方法。
【手続補正書】
【提出日】平成26年4月2日(2014.4.2)
【手続補正１】
【補正対象書類名】明細書
【補正対象項目名】発明の名称
【補正方法】変更
【補正の内容】
【発明の名称】液晶表示装置及び液晶表示装置の駆動方法
【手続補正２】
【補正対象書類名】特許請求の範囲
【補正対象項目名】全文
【補正方法】変更
【補正の内容】
【特許請求の範囲】
【請求項１】
コンバータと、バックアップ回路と、液晶表示パネルと、を有し、
前記コンバータは、電源入力を直流電力に変換することができる機能を有し、
前記バックアップ回路は、キャパシタを有し、
前記キャパシタは、前記コンバータが出力する電力を充電することができる機能を有し、
前記液晶表示パネルは、前記コンバータおよび前記バックアップ回路と電気的に接続されており、
前記液晶表示パネルは、同一画像を一定期間保持することができる機能を有し、
前記液晶表示パネルにおける画像書き込み時の消費電力は、画像保持期間の消費電力の１０倍以上１０４倍以下であり、
前記バックアップ回路は、第１のモードと、第２のモードと、を有し、
前記第１のモードでは、前記コンバータを介して電力を前記液晶表示パネル及び前記キャパシタに供給することができ、
前記第２のモードでは、前記コンバータへの電力の供給を停止して、前記キャパシタに蓄えた電力を前記液晶表示パネルに供給することができ、
前記バックアップ回路は、前記画像保持期間に前記第２のモードにより前記液晶表示パネルに電力を供給することができる液晶表示装置。
【請求項２】
コンバータと、バックアップ回路と、液晶表示パネルと、を有し、
前記コンバータは、電源入力を直流電力に変換することができる機能を有し、
前記バックアップ回路は、キャパシタと、リミッタ回路と、を有し、
前記リミッタ回路は、前記キャパシタの一方の端子と電気的に接続されており、
前記キャパシタは、前記コンバータが出力する電力を充電することができる機能を有し、
前記液晶パネルは、前記コンバータおよび前記バックアップ回路と電気的に接続されており、
前記液晶表示パネルは、同一画像を一定期間保持することができる機能を有し、
前記液晶表示パネルにおける画像書き込み時の消費電力は、画像保持期間の消費電力の１０倍以上１０４倍以下であり、
前記バックアップ回路は、第１のモードと、第２のモードと、を有し、
前記第１のモードでは、前記コンバータを介して電力を前記液晶表示パネル及び前記キャパシタに供給することができ、
前記第２のモードでは、前記コンバータへの電力の供給を停止して、前記キャパシタに蓄えた電力を前記液晶表示パネルに供給することができ、
前記バックアップ回路は、前記画像保持期間に前記第２のモードにより前記液晶表示パネルに電力を供給することができる液晶表示装置。
【請求項３】
同一画像信号を１０秒以上６００秒以下の間隔で前記液晶表示パネルに書き込む請求項１または請求項２記載の液晶表示装置。
【請求項４】
コンバータと、バックアップ回路と、液晶表示パネルと、を有し、
前記コンバータは、電源入力を直流電力に変換することができる機能を有し、
前記バックアップ回路は、キャパシタを有し、
前記液晶表示パネルは、画素トランジスタを有する液晶表示装置の駆動方法であって、
前記コンバータを介して供給される電力を用いて、前記キャパシタの充電及び前記液晶表示パネルへの画像の書き込みを行い、
設定間隔毎に前記画素トランジスタのゲート電位及び前記キャパシタの電位を監視し、
前記画素トランジスタのゲート電位の絶対値が第１の設定電位より小さくなると前記コンバータに電力を供給し、
前記キャパシタの電位が第２の設定電位より大きくなると前記コンバータへの電力を切断し、
設定時間が経過、または割り込み命令により中断するまで、前記監視動作を繰り返す液晶表示装置の駆動方法。
【請求項５】
前記第１の設定電位が、５Ｖ以上である請求項４記載の液晶表示装置の駆動方法。
【請求項６】
前記第２の設定電位が、前記コンバータの出力電位の９８％以下である請求項４または５記載の液晶表示装置の駆動方法。
【手続補正書】
【提出日】平成26年3月24日(2014.3.24)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
表示部とセンサ部を有する画素部を有し、
前記表示部は、高分子中に液晶が分散された液晶層を有し、
前記センサ部は、受光素子と前記受光素子に重畳して光透過性のスペーサを有していることを特徴とする表示装置。
【請求項２】
表示部とセンサ部を有する画素部を有し、
前記表示部は、高分子中に液晶が分散された液晶層を有し、
前記センサ部は、受光素子と前記受光素子に重畳して光透過性のスペーサを有し、
前記スペーサにより、前記液晶層のセルギャップを保持していることを特徴とする表示装置。
【請求項３】
表示部とセンサ部を有する画素部を有し、
前記表示部は、高分子中に液晶が分散された液晶層と、画素電極と、着色層と、を有し、
前記センサ部は、受光素子と前記受光素子に重畳して光透過性のスペーサを有していることを特徴とする表示装置。
【請求項４】
表示部とセンサ部を有する画素部を有し、
前記表示部は、高分子中に液晶が分散された液晶層と、画素電極と、着色層と、を有し、
前記センサ部は、受光素子と前記受光素子に重畳して光透過性のスペーサを有し、
前記スペーサにより、前記液晶層のセルギャップを保持していることを特徴とする表示装置。
【請求項５】
請求項３または請求項４において、
前記着色層は、前記画素電極とトランジスタの間にあることを特徴とする表示装置。
【請求項６】
請求項１乃至請求項５のいずれか一において、
前記液晶層は、高分子分散型液晶又は高分子ネットワーク型液晶であることを特徴とする表示装置。
【手続補正書】
【提出日】平成26年4月14日(2014.4.14)
【手続補正１】
【補正対象書類名】明細書
【補正対象項目名】発明の名称
【補正方法】変更
【補正の内容】
【発明の名称】液晶表示装置
【手続補正２】
【補正対象書類名】特許請求の範囲
【補正対象項目名】全文
【補正方法】変更
【補正の内容】
【特許請求の範囲】
【請求項１】
液晶層と、受光素子と、を有し、
前記液晶層は、前記受光素子よりも視認側に配置され、
前記液晶層は、高分子材料中に分散された液晶材料を含み、
前記受光素子は、赤外線の波長領域に受光感度を有し、
前記受光素子が検出した赤外線を撮像することができる機能を備えることを特徴とする液晶表示装置。
【請求項２】
第１の電極と、第２の電極と、液晶層と、受光素子とを有し、
前記第１の電極、前記第２の電極および前記液晶層は、前記受光素子よりも視認側に配置され、
前記第１の電極は、前記第２の電極および前記液晶層よりも視認側に配置され、
前記第１の電極は、可視光線を透過することができる機能を有し、
前記第２の電極は、前記第１の電極と対向して配置され、
前記第２の電極は、可視光線を反射することができる機能を有し、
前記液晶層は、前記第１の電極と前記第２の電極との間にあり、
前記液晶層は、高分子材料中に分散された液晶材料を含み、
前記受光素子が検出した赤外線を撮像することができる機能を備えることを特徴とする液晶表示装置。
【請求項３】
請求項２において、
前記受光素子と重なる位置に前記第２の電極が配置されていないことを特徴とする液晶表示装置。
【請求項４】
第１の電極と、第２の電極と、液晶層と、第１の層と、受光素子と、を有し、
前記第１の電極、前記第２の電極、および前記液晶層は、前記第１の層および前記受光素子よりも視認側に配置され、
前記第１の電極は、前記第２の電極および前記液晶層よりも視認側に配置され、
前記第１の電極は、可視光線を透過することができる機能を有し、
前記第２の電極は、前記第１の電極と対向して配置され、
前記第２の電極は、可視光線を透過することができる機能を有し、
前記液晶層は、前記第１の電極と前記第２の電極との間にあり、
前記液晶層は、高分子材料中に分散された液晶材料を含み、
前記第１の層は、可視光線を吸収することができる機能を有し、
前記受光素子は、赤外線の波長領域に受光感度を有し、
前記受光素子が検出した赤外線を撮像することができる機能を備えることを特徴とする液晶表示装置。
【請求項５】
請求項４において、
前記受光素子と重なる位置に前記第１の層が配置されていることを特徴とする液晶表示装置。
【請求項６】
請求項１乃至４のいずれか一において、
前記受光素子と重なる位置に配置された赤外線透過フィルターを有することを特徴とする液晶表示装置。
【請求項７】
請求項２乃至５のいずれか一において、
前記第２の電極に電気的に接続されたトランジスタを有し、
前記トランジスタは、酸化物半導体を有することを特徴とする液晶表示装置。
【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
固定ハウジング（１８）及び軸線（２２）周りを回転するロータ（２０）を含むターボ機械用のシール組立体（４０）であって、
前記固定ハウジングに結合された前方リング（１１０）及び後方リング（１１２）と、
前記前方及び後方リング間で前記固定ハウジング（１８）の内側表面に取り付けられ且つ前記固定ハウジング（１８）と前記ロータ（２０）との間に定められた、各々が内部に少なくとも１つのスロット（７４）を有する複数のコンプライアントプレート部材（４２）と、
前記固定ハウジング（１８）の内側表面に取り付けられ且つ前記コンプライアントプレート部材（４２）内の少なくとも１つのスロット（７４）に半径方向に延び、各々が前記複数のコンプライアントプレート部材（４２）間を通って円周方向に延びて該複数のコンプライアントプレート部材（４２）間の少なくとも幾らかの軸方向漏洩に対する障壁（７０）としての役割を果たすようになる少なくとも１つの環状リング（７２）と、
前記前方リング、前記少なくとも１つの環状リング、および前記複数のコンプライアントプレート部材（４２）の少なくとも２つに接し、該複数のコンプライアントプレート部材（４２）の振動を減衰させるよう構成された振動ダンパー（１１８）と、
を備えたシール組立体（４０）。
【請求項２】
前記振動ダンパー（１１８）が、前記少なくとも１つの環状リング（７２）に結合された弓形メッシュを含む、請求項１に記載のシール組立体（４０）。
【請求項３】
前記メッシュの多孔率がおよそ２５パーセントよりも大きい、請求項２に記載のシール組立体。
【請求項４】
前記振動ダンパー（１１８）の硬度が、前記複数のコンプライアントプレート部材（４２）の硬度よりも低い、請求項１乃至３のいずれか１項に記載のシール組立体（４０）。